(57)【要約】【課題】位置決めピンを一体成形せず組み込み可能とした天井用吊り下げ具を提供する。【解決手段】  本考案になる天井用吊り下げ具Ｈ１は、フック部２、基台部３，可倒部４及びヒンジ５を有する本体１並びに位置決めピン７及び差込ピン８とよりなり、前記基台部３は、爪部３１及び位置決めピン孔を備え、前記可倒部４は、係合子４１及び差込ピン孔を備え、  前記本体１は、前記位置決めピン孔に前記位置決めピン７を差込み、前記可倒部４を前記ヒンジ５を中心として回転し、前記係合子４１を前記爪部３１に拘束係止してなり、前記位置決めピン７を石膏ボードの所定位置に差し込み、本体１の取付方向を設定した後、前記差込ピン８を差し込むことによって、前記本体１を天井面に固定するようにしたことを特徴とした。【選択図】          図１
0003112101.tif 000002
【実用新案登録請求の範囲】
【請求項１】
フック部、基台部、可倒部及びヒンジを有する本体並びに位置決めピン及び差込ピンとよりなり、前記基台部は、爪部及び位置決めピン孔を備え、前記可倒部は、係合子及び差込ピン孔を備える天井吊り下げ具であって、
前記本体は、前記位置決めピン孔に前記位置決めピンを差し込み、前記可倒部を前記ヒンジを中心として回転し、前記係合子を前記爪部に拘束係止してなり、前記位置決めピンを石膏ボード製天井面の所定の位置に差し込み、本体の取付方向を設定した後、前記差込ピン孔に差し込みピンを差し込むことによって、前記本体を固定するようにしたことを特徴とする天井用吊り下げ具。
【考案の詳細な説明】
【技術分野】
【０００１】  本考案は、石膏ボード製の天井等に設置して、掲示物を掲示するための吊り下げ具に関するものでる。
【背景技術】
【０００２】  掲示物を天井に吊り下げる場合、天井に打ち込まれている釘、フック付釘等に掲示物上縁端部を紐を介して直接帳架する方法、天井に接着剤で接着したり又は天井にピンでピン止めしたフック付金具に掲示物上縁端部を紐を介して張架する方法等が広く行われている。【０００３】  これらの金具類による、掲示物の吊り下げ方法は、重量のある掲示物の重量に耐えられないばかりか、接着が剥がれたり、ピンが抜けたりしたあとが傷となって見苦しく残ることがある。本来美しくあるべき天井に不用意に出来る傷は好ましくない。【０００４】  この改善策として、考案者は、さきに掲示物を吊り下げ可能のフックを有する本体の中央から突出した位置決めピンと、本体の中心線と前記位置決めピンを含み、本体正面に平行する平面上において、前記位置決めピンの先端延長線上で、２本の差込ピンの先端が、前記位置決めピンと約４０度で出会うように構成し、石膏ボード製天井面の所定の位置に前記位置決めピンで位置決めし、本体の取り付け方向を設定した後、前記差込ピンを打ち込むことによって、本体を天井に固定することを特徴とする吊り下げ具を出願した（登録実用新案第３０７０８７９号）。【０００５】  また、考案者は、形状の異なる各種の天井用吊り下げ具を意匠登録した（一例：意匠登録第１１６４３２２号）。しかしながら、いずれも差込ピンを除き一体成形品であり、特に製作上、位置決めピンを一体成形することは、コスト高であった。
【特許文献１】登録実用新案第３０７０８７９号公報
【特許文献２】意匠登録第１１６４３２２号公報
【考案の開示】
【考案が解決しようとする課題】
【０００６】    天井用吊り下げ具を製作する過程において、位置決めピンを一体成形することは、製作コストが嵩むので、位置決めピンを組み込み可能とすることを課題とする。
【課題を解決するための手段】
【０００７】    本考案による天井用吊り下げ具は、フック部、基台部、可倒部及びヒンジを有する本体並びに位置決めピン及び差込ピンとよりなり、基台部は、爪部及び位置決めピン孔を備え、可倒部は、係合子及び差込ピン孔を備える構造であり、基台部の位置決めピン孔に位置決めピンを差し込み、次に可倒部をヒンジを中心として転回し、可倒部の係合子を基台部の爪部に拘束係止することによって位置決めピンを固定する手段とすることを特徴とした。
【考案の効果】
【０００８】  本考案は、組立状態を示す参考斜視図に示すような状態において、位置決めピン孔に位置決めピンを差し込み、次に可倒部をヒンジを中心として転回し、可倒部の係合子を基台部の爪部に拘束係止するので、位置決めピンは、基台部に固定される。本体成型時に位置決めピンを一体成形する費用が節約でき、本体の製造コストを下げることが出来る。一旦拘束係止された後は、位置決めピンは、閉塞された状態になり、本体は、位置決めピンのついている状態で、保管され、本体を再利用するときは、位置決めピンの再差込は不要であり、そのままの状態で使用することが出来るという利点もある。
【考案を実施するための最良の形態】
【０００９】  天井用吊り下げ具を製作する過程において、位置決めピンを一体成形する工程を排除する目的を、部品の状態において、基台部の位置決めピン孔に位置決めピンを差し込み、可倒部をヒンジを中心として転回し、可倒部の係合子を基台部の爪部に拘束係止して達成した。
【実施例１】
【００１０】  図１は、本考案の天井用吊り下げ具の平面図ある。図２は、本考案の天井用吊り下げ具の組立状態を示す参考斜視図である。図３は、本考案の天井用吊り下げ具の本体の参考展開図である。図４は、石膏ボード製天井面に、本考案の天井用吊り下げ具を装着した実装図である。【００１１】  図２，図３において、天井用吊り下げ具Ｈ１は、フック２、基台部３、可倒部４及びヒンジ５を有する本体１並びに１本の位置決めピン７及び１本の差込ピン８とよりなり、基台部３は、爪部３１及び位置決めピン孔３２を備え、可倒部４は、係合子４１及び差込ピン孔４２を備えることを特徴とし、位置決めピン孔３２に位置決めピン７を差し込み、次に可倒部４をヒンジ５を中心として転回方向６の方向に転回し、可倒部４の係合子４１を基台部３の爪部３１に拘束係止して本体１を形成する。従来は、位置決めピンは、成型時に一体型として鋳込み型であったために、非常にコストのかかるものであった。本考案は、この欠点を排除するために発案されたもので、ピンを差し込む作業と、可倒部を転回して、拘束する作業が加わるが、前述の従来型に較べて著しくコストを下げることができ、初期の課題を達成した。【００１２】  位置決めピン孔３２に位置決めピン７を差し込み、次に可倒部４をヒンジ５を中心として転回方向６の方向に転回し、可倒部４の係合子４１を基台部３の爪部３１に拘束係止して形成した本体１は、位置決めピン７を交換するとき以外は、可倒部を拘束係止を解除する必要がなく、保存可能である。【００１３】  次に、図１、図４に示すように、前記位置決めピン７を石膏ボード製の天井９の所定位置に差し込み、本体１の取付方向を設定した後、差込ピン孔４２に差込ピン８を石膏ボードまで差し込むことによって、本体１を天井９に固定して、フック２に掲示物を吊り下げる。図示されていないが、天井用吊り下げ具Ｈ１は、壁面にも装着できる。【００１４】  実施例の本体１の素材は、ポリプロピレン、ＡＢＳ又は同等のプラスチックである。大きさは、概略幅１０、高さ１７．５、長さ４２である。位置決めピン７と差込ピン８は、ステンレス又は同等の金属である。位置決めピン７は、概略太さ０．８、長さ１３、差込ピン８は、概略太さ１．２、長さ４５である。（この項に記載の大きさを表す数値の単位はいずれもｍｍ）【００１５】  差込ピン孔４２の差込方向と基台接触面３３とのなす角度は、大凡４５度である。この角度は、本体１を天井９に設置した後、掲示物をフック２に繋着したとき、抜け落ちようとする力の横の成分が天井面に直角に差し込まれた位置決めピンによって、分散される効果があり、掲示物の重量に耐えられる機能を有する。
【実施例２】
【００１６】  他の実施例を図５によって示す。天井用吊り下げ具Ｈ２は、フック２、基台部３ａ、可倒部４ａ及びヒンジ５ａよりなる本体１ａ並びに１本の位置決めピン７及び１本の差込ピン８とよりなり、基台部３ａは、爪部３１ａ及び位置決めピン孔３２を備え、可倒部４ａは、係合子４１ａ及び差込ピン孔４２を備えることを特徴とし、位置決めピン孔３２に位置決めピン７を差し込み、次に可倒部４ａをヒンジ５ａを中心として転回方向６ａの方向に転回し、可倒部４ａの係合子４１ａを基台部３ａの爪部３１ａに拘束係止して本体１ａを形成する。天井用吊り下げ具Ｈ２の利用方法は、天井用吊り下げ具Ｈ１と同じである。
【実施例３】
【００１７】  他の実施例を図６によって示す。天井用吊り下げ具Ｈ３は、フック２、基台部３ｂ及び嵌設部４ｂよりなる本体１ｂ並びに１本の位置決めピン７及び１本の差込ピン８とよりなり、基台部３ｂは、爪部３１、３１ｂ及び位置決めピン孔３２を備え、嵌設部４ｂは、係合子４１、４１ｂ及び差込ピン孔４２を備えることを特徴とし、位置決めピン孔３２に位置決めピン７を差し込み、次に嵌設部４ｂを基台部３ｂに嵌込み、嵌設部４ｂの係合子４１を基台部３ｂの爪部３１に、嵌設部４ｂの係合子４１ｂを基台部３ｂの爪部３１ｂに拘束係止して本体１ｂを形成する。この実施例による天井用吊り下げ具Ｈ３は、ヒンジを利用していないが、差込ピンを一体成形せず、組み立て時に組み込むという考案の思想は、継承されている。天井用吊り下げ具Ｈ３の利用方法は、天井用吊り下げ具Ｈ１と同じである。
【図面の簡単な説明】
【００１８】
【図１】  本考案の天井用吊り下げ具の平面図である。
【図２】  本考案の天井用吊り下げ具の組立状態を示す参考斜視図である。
【図３】  本考案の天井用吊り下げ具の本体の参考展開図である。
【図４】  石膏ボード製天井面に、本考案の天井用吊り下げ具を装着した実装図である。
【図５】  本考案の天井用吊り下げ具の他の実施例の平面図である。
【図６】  本考案の天井用吊り下げ具の他の実施例の平面図である。
【符号の説明】
【００１９】  Ｈ１、Ｈ２、Ｈ３  天井用吊り下げ具
１、１ａ、１ｂ    本体
２  フック
３、３ａ、３ｂ    基台部
３１，３１ａ、３１ｂ  爪
３２  位置決めピン孔
３３  基台接触面
４、４ａ    可倒部
４ｂ  嵌設部
４１、４１ａ、４１ｂ  係合子
４２  差込ピン孔
５、５ａ  ヒンジ
６、６ａ  転回方向を示す矢印
７    位置決めピン
８    差込ピン
９    石膏ボード製天井面
【図１】
0003112101.tif 000003
【図２】
0003112101.tif 000004
【図３】
0003112101.tif 000005
【図４】
0003112101.tif 000006
【図５】
0003112101.tif 000007
【図６】
0003112101.tif 000008